(57)【要約】
【課題】　ケーブルに対するコネクタ端子の方向が可変で、且つ、位置決め固定できるＵＳＢコネクタの提供。
【解決手段】　ケーブル４へケーブル座体３を取付け、分岐線４２をコネクタ端子２へ接続し、上蓋体１と下蓋体５でコネクタ端子２とケーブル座体３を覆い、下蓋体５の嵌合片３４とケーブル座体３の透孔３２を回動自在に係合し、ケーブル座体３に複数の位置決め穴を設け、下蓋体５に位置決め穴のどれかと係合する位置決め突起５１を設ける。
【選択図】　　　　　図３
0003099599.tif 000002
【実用新案登録請求の範囲】
【請求項１】
　上蓋体、コネクタ端子、ケーブル座体、ケーブル及び下蓋体を備え、前記ケーブル座体は、その中心部に円形の透孔を有し、該透孔の内周から外周面に達する挿入孔が形成され、前記ケーブルの端部が前記ケーブル座体の挿入孔へ挿入されると共に、ケーブルの分岐線が前記ケーブル座体の透孔を通して前記コネクタ端子のケーブル接続部に接続されて、前記ケーブルとコネクタ端子とが電気的に接続され、前記下蓋体の上面に、前記ケーブル座体の透孔と回動自在に係合する係合片が設けられ、前記上蓋体及び下蓋体は、互いに係合されて前記コネクタ端子及びケーブル座体を被覆し、前記コネクタ端子の先端部は前記上蓋体及び下蓋体の外部へ露出し、前記ケーブル座体及び下蓋体の対向面には、前記透孔と同心円上に適宜間隔をおいて配置された複数の位置決め穴と、該位置決め穴のいずれかと択一的に係合する位置決め突起がそれぞれ形成され、前記位置決め突起と係合する位置決め穴を変えることにより、前記ケーブルのコネクタ端子に対して延びる方向を調整するＵＳＢコネクタ。
【考案の詳細な説明】
【技術分野】
【０００１】
　ケーブルをコネクタ端子に対して回動・固定することができ、配線の自由度が高いＵＳＢコネクタに関する。
【背景技術】
【０００２】
　現在、コンピュータやデジタル機器に関しては、そのほとんどが外付けメモリ等に対応するＵＳＢインターフェースを有しており、このＵＳＢインターフェースを介し、接続された周辺機器や外付けメモリを効果的に制御し、外付けメモリ内の書き込み、読み込み、データ保存等を行うことができる。この機能を利用するために欠かせないのが、ＵＳＢコネクタである。
　一般的なＵＳＢコネクタは、図１に示すように、コネクタ座体Ａ１からＵＳＢ端子部Ａ２が突出して露出され、ＵＳＢ端子部Ａ２をコンピュータやデジタル機器のＵＳＢインターフェースポートに挿入して利用する。
　また、コネクタ座体Ａ１の後端部にはケーブルが接続されているが、方向調整機能や位置決め機能を備えていない。
【０００３】
　このような従来のＵＳＢコネクタは、以下のような問題点がある。
　１．コンピュータやデジタル機器の大幅な進歩により、接続されるコネクタも複雑化・多元化しており、複数のコネクタを配線する場合には、挿入方向の制限を受けることが多く、往々にしてコネクタとケーブルが乱雑に設置された状態となる。方向変換を行うには、ケーブルを捻ったり湾曲させるしかなく、劣悪な配線環境ではケーブルのひねりや湾曲も困難であり、接続不良の原因ともなる。
　２．ケーブルにひねりや湾曲が加えられた状態が長期間続くと、ケーブルが変形してしまい、また、ケーブルの老朽化に伴い、コネクタ座体Ａ１とケーブルとの接続部分に発見しにくい切断が発生しやすい。
　３．ケーブルが引っ張られるなどの大きな外力が加わると、この力を逃がすことができないので、コネクタ端子に大きな力がかかり、ＵＳＢコネクタの脱落や、変形・破損が発生しやすく、さらにはコンピュータやデジタル機器のＵＳＢインターフェースポートの破損を招くこともあり、甚大な損害をもたらす。
【考案の開示】
【考案が解決しようとする課題】
【０００４】
　本考案は、上記問題点に鑑みて、ケーブルの方向調整機能を付加することにより、ケーブルに対してコネクタ端子部の方向を変えることができ、さらに一定の位置に位置決め固定することも可能なＵＳＢコネクタの提供を課題とするものである。
【課題を解決するための手段】
【０００５】
　本考案のＵＳＢコネクタは、上蓋体、コネクタ端子、ケーブル座体、ケーブル及び下蓋体を備え、前記ケーブル座体は、その中心部に円形の透孔を有し、該透孔の内周から外周面に達する挿入孔が形成され、前記ケーブルの端部が前記ケーブル座体の挿入孔へ挿入されると共に、ケーブルの分岐線が前記ケーブル座体の透孔を通して前記コネクタ端子のケーブル接続部に接続されて、前記ケーブルとコネクタ端子とが電気的に接続され、前記下蓋体の上面に、前記ケーブル座体の透孔と回動自在に係合する係合片が設けられ、前記上蓋体及び下蓋体は、互いに係合されて前記コネクタ端子及びケーブル座体を被覆し、前記コネクタ端子の先端部は前記上蓋体及び下蓋体の外部へ露出し、前記ケーブル座体及び下蓋体の対向面には、前記透孔と同心円上に適宜間隔をおいて配置された複数の位置決め穴と、該位置決め穴のいずれかと択一的に係合する位置決め突起がそれぞれ形成され、前記位置決め突起と係合する位置決め穴を変えることにより、前記ケーブルのコネクタ端子に対して延びる方向を調整する。
【０００６】
　上蓋体及び下蓋体から露出したコネクタ端子を、コンピュータ等に挿入して接続すると、ケーブル座体の透孔の中心が回動中心となってケーブルが回動する。
　位置決め穴と位置決め突起とを係合すると、ケーブルをコネクタ端子の突出方向に対して一定角度で固定することができる。
【考案の効果】
【０００７】
　本考案によれば、コネクタ端子に対してケーブルを回動させることにより、ＵＳＢコネクタの挿入方向を任意に調整することができるので、ＵＳＢコネクタをコンピュータ等へ着脱しやすくなると共に、配線の自由度が増す。
　また、ケーブルに捻りや曲折が発生しないので、長期間使用してもケーブル及びその接続部に悪影響を与えず、ケーブルが変形したままになったり、コネクタ内部のケーブル接続個所に破断が発生して、接続不良を起こすことが無く、信号を確実に安定して伝送することができる。
【０００８】
　ケーブルを無理に引っ張るなどの大きい外力が加わった場合に、ケーブルが方向を変えることでその外力が吸収されるため、ＵＳＢコネクタの脱落や変形・破損を防ぐことができる。
　また、ケーブルとコネクタ端子とが相対的に回動した後は、ある一定角度で固定することができるので、ケーブルの移動を規制しなければならない場合にも、対応することが可能である。
【考案を実施するための最良の形態】
【０００９】
　以下、本考案の実施例を図面に基づいて詳細に説明する。
　本考案のＵＳＢコネクタは、図２及び図３に示すように、上蓋体１、コネクタ端子２、ケーブル座体３、ケーブル４及び下蓋体５を備える。
　図３乃至図５に示すように、ケーブル座体３は、円形をなし、その中心部に円形の透孔３２が穿設されると共に、透孔３２の内周から外周面に達する挿入孔３１が形成される。そして、ケーブル４の端部４１をケーブル座体３の挿入孔３１に差し込んで透孔３２内へ突出させることにより、ケーブル座体３がケーブル４の端部４１に一体的に取り付けられている。
【００１０】
　ケーブル４の端部４１において、被覆されずに露出している分岐線４２は、ケーブル座体３の透孔３２を通過してコネクタ端子２のケーブル接続部に接続され、これにより、ケーブル４とコネクタ端子２とが電気的に接続されている。
　ケーブル座体３の下面には、複数の位置決め穴３３が、透孔３２と同心円上に適宜間隔をおいて配置される。本実施例では、３個の位置決め穴３３が、挿入孔３１の中心軸上方と、挿入孔３１と直交する直径の両端部にそれぞれ形成されている。
【００１１】
　上蓋体１と下蓋体５とは、下蓋体５の上端面両側に設けた嵌合突起５０を、上蓋体１の下端面両側に形成した係止穴１０に挿入することにより互いに係合される。
　また、上蓋体１及び下蓋体５の前端面は、上蓋体１と下蓋体５とを係合した状態で開口している。
　下蓋体５の後端部上面には、ケーブル座体３の透孔３２と係合する円筒状の嵌合片３４が突出され、嵌合片３４の後方には、ケーブル座体３の位置決め穴３３とクリック係合する位置決め突起５１が形成される。
　さらに、下蓋体５の上面前部寄りには突部５２が設けられ、コネクタ端子２の下面には突部５２と係合する凹部２１が形成される。
【００１２】
　予め接合してあるコネクタ端子２、ケーブル座体３及びケーブル４を下蓋体５の上に載せ、コネクタ端子２の凹部２１と下蓋体５の突部５２とを係合すると共に、ケーブル座体３の透孔３２へ下蓋体５の嵌合片３４を回動自在に嵌合する。
　そして、下蓋体５の上に上蓋体１を被せ、下蓋体５の嵌合突起５０を上蓋体１の係止穴１０へ差し込んで、上蓋体１と下蓋体５とを係合し、上蓋体１と下蓋体５とで、ケーブル座体３及びケーブル４とコネクタ端子２との接続部を被覆する。
　すると、コネクタ端子２の先端部は、上蓋体１及び下蓋体５の前端面を通して外部へ露出される。
【００１３】
　また、ケーブル座体３は上蓋体１と下蓋体５で上下から回動自在に挟持され、ケーブル座体３の位置決め穴３３と下蓋体５の位置決め突起５１とを係合することによって、ケーブル座体３及びケーブル４のコネクタ端子２に対する角度が定められる。
　図６の（イ）に示すように、中央の位置決め穴３３と位置決め突起５１とを係合すると、コネクタ端子２の突出する方向とケーブル４の延長方向とが同一線上に並ぶ。
　ケーブル４を回動させ、ケーブル４側から視て、右方に位置する位置決め穴３３と位置決め突起５１とを係合すると、図６の（ア）に示すように、ケーブル４はコネクタ端子２の突出方向に対して直角に左側へ延びる。
【００１４】
　一方、ケーブル４を逆回転させて、左方に位置する位置決め穴３３と位置決め突起５１とを係合すると、図６の（ウ）に示すように、ケーブル４はコネクタ端子２の突出方向に対して直角に右側へ延びる。
　即ち、上記実施例では、ケーブル４を１８０度の範囲で回動・固定することができる。
　なお、下蓋体５の上面に複数の位置決め穴を形成し、ケーブル座体３の下面に位置決め突起を設けても良い。
【図面の簡単な説明】
【００１５】
【図１】従来のＵＳＢコネクタの斜視図。
【図２】本考案のＵＳＢコネクタの斜視図。
【図３】本考案のＵＳＢコネクタの分解斜視図。
【図４】ケーブル座体及びケーブルの平面図。
【図５】本考案のＵＳＢコネクタの断面図。
【図６】本考案のＵＳＢコネクタの回動・位置決め動作を示す平面図。
【符号の説明】
【００１６】
　１　上蓋体
　１０　係止穴
　２　コネクタ端子
　２１　凹部
　３　ケーブル座体
　３１　挿入孔
　３２　透孔
　３３　位置決め穴
　３４　嵌合片
　４　ケーブル
　４１　端部
　４２　分岐線
　５　下蓋体
　５０　嵌合突起
　５１　位置決め突起
　５２　突部
【図１】
0003099599.tif 000003
【図２】
0003099599.tif 000004
【図３】
0003099599.tif 000005
【図４】
0003099599.tif 000006
【図５】
0003099599.tif 000007
【図６】
0003099599.tif 000008